(57)【要約】【課題】冷却庫の排水蒸発装置において加熱コイルを使用せず、蒸発能力を確保する。【解決手段】庫内２に電子機器１を収納し庫内２を所定温度に冷却するための冷却ユニット７を備えた電子機器用冷却庫の排水蒸発装置において、冷却ユニット７の蒸発器６からの排水を庫外に導くドレン８と、ドレン８からの排水を受けて貯めるドレンパン９とを有し、電子機器１の廃熱を庫外へ導くダクトＡ１１と、ドレンパン９を含むダクトＢ１２とを連通したことにより、省エネで、加熱コイルの必要性も無くコストダウンが出来る。また圧縮機停止中も安定した蒸発能力が得られる。【選択図】図１
2011047608.tif 000002
【特許請求の範囲】
【請求項１】
庫内に電子機器を収納し前記庫内を所定温度に冷却するための冷却ユニットを備えた電子機器用冷却庫の排水蒸発装置において、前記冷却ユニットの蒸発器からの排水を庫外に導くドレンと、前記ドレンからの排水を受けて貯めるドレンパンとを有し、前記電子機器の廃熱を庫外へ導くダクトＡと、前記ドレンパンを含むダクトＢとを連通したことを特徴とする電子機器用冷却庫の排水蒸発装置。
【発明の詳細な説明】
【技術分野】
【０００１】
本発明は電子機器用冷却庫の排水蒸発装置に関するものである。
【背景技術】
【０００２】
従来この種の冷却庫の排水蒸発装置として特許文献１のものがある。
【０００３】
図２は特許文献１に記載された従来の冷却庫の排水蒸発装置を示すものである。図２において、庫内２と、圧縮機３、凝縮器４、絞り装置５、蒸発器６を備えた冷却ユニット７と、蒸発器６からの排水を庫外に導く為のドレン８と、ドレン８からの排水を受けて貯める為のドレンパン９と、ドレンパン９に備えられた蒸発シート１０と、ファン１３と、加熱コイル１４から構成されている。
【０００４】
以上のように構成された冷却庫の排水蒸発装置について、以下その動作を説明する。
【０００５】
冷却ユニット７は圧縮機３、凝縮器４、加熱コイル１４、絞り装置５、蒸発器６から構成されている。庫内２を冷却すると庫内２に設置された蒸発器６にて庫内２空気中の水分が凝縮する。凝縮した水分は排水としてドレン８にてドレンパン９まで導かれ溜まる。
【０００６】
ドレンパン９に溜まった排水を蒸発させる為、ドレンパン９内、排水が漬かる場所に設けられた加熱コイル１４にて排水の温度を約３０〜５０℃まで上げ、蒸発シート１０で排水を吸わせて凝縮器４の排熱の影響を受けた風を蒸発シート１０にファン１３にて当てる事により排水を蒸発させる。
【先行技術文献】
【特許文献】
【０００７】
【特許文献１】特開平９−９１５０９号公報
【発明の概要】
【発明が解決しようとする課題】
【０００８】
しかしながら上記従来の構成では加熱コイルが必要な為コストが掛かる。また加熱コイルがドレンパン中に設置されている為、メンテナンスでドレンパンを取り出す場合、加熱コイルを避けて取り出す工夫が必要である。また圧縮機停止中は凝縮器からの排熱が無くなり且つ、加熱パイプの温度が下がる為、その間蒸発能力が落ちるという課題を有していた。
【０００９】
本発明は、上記従来の課題を解決するもので、冷却対象である発熱量の多い電子機器（例えば発熱量の多いパーソナルコンピュータやハードディスク、プロジェクタ等）の廃熱を再利用してドレンパンの排水を蒸発させる事が出来る電子機器用冷却庫の排水蒸発装置を提供することを目的とする。
【課題を解決するための手段】
【００１０】
上記従来の課題を解決するために、本発明の電子機器用冷却庫の排水蒸発装置は、庫内に電子機器を収納し前記庫内を所定温度に冷却するための冷却ユニットを備えた電子機器用冷却庫の排水蒸発装置において、前記冷却ユニットの蒸発器からの排水を庫外に導くドレンと、前記ドレンからの排水を受けて貯めるドレンパンとを有し、前記電子機器の廃熱を庫外へ導くダクトＡと、前記ドレンパンを含むダクトＢとを連通したものである。
【００１１】
これにより、冷却対象である庫内に設置された電子機器の廃熱を庫外に設置されたドレンパンまで導く事により、冷却対象である電子機器（例えば発熱量の多いパーソナルコンピュータやハードディスク、プロジェクタ等）の廃熱を再利用してドレンパンの排水を蒸発させる事が出来る。
【発明の効果】
【００１２】
本発明の電子機器冷却庫の排水蒸発装置は、庫内に電子機器を収納し前記庫内を所定温度に冷却するための冷却ユニットを備えた電子機器用冷却庫の排水蒸発装置において、前記冷却ユニットの蒸発器からの排水を庫外に導くドレンと、前記ドレンからの排水を受けて貯めるドレンパンとを有し、前記電子機器の廃熱を庫外へ導くダクトＡと、前記ドレンパンを含むダクトＢとを連通したので、冷却対象である庫内に設置された電子機器の廃熱を庫外に設置されたドレンパンまで導く事により、冷却対象である電子機器（例えば発熱量の多いパーソナルコンピュータやハードディスク、プロジェクタ等）の廃熱を再利用してドレンパンの排水を蒸発させる事が出来る為、省エネとなる。また加熱コイルの必要性も無くコストダウンが出来る。また圧縮機停止中も安定した蒸発能力を得ることが出来る。
【図面の簡単な説明】
【００１３】
【図１】本発明の実施の形態１における電子機器用冷却庫の排水蒸発装置の構成図
【図２】従来の排水蒸発装置の構成図
【発明を実施するための形態】
【００１４】
請求項１に記載の発明は、庫内に電子機器を収納し前記庫内を所定温度に冷却するための冷却ユニットを備えた電子機器用冷却庫の排水蒸発装置において、前記冷却ユニットの蒸発器からの排水を庫外に導くドレンと、前記ドレンからの排水を受けて貯めるドレンパンとを有し、前記電子機器の廃熱を庫外へ導くダクトＡと、前記ドレンパンを含むダクトＢとを連通したものであり、冷却対象である庫内に設置された電子機器の廃熱を庫外に設置されたドレンパンまで導く事により、電子機器の廃熱を利用してドレンパンに溜まった排水を加熱コイルの必要性も無く、また圧縮機運転の有無に影響される事無く蒸発させる事が出来る。
【００１５】
また電子機器の発熱量が高ければ高い程、排水蒸発能力が高くなるため、冷却負荷増大による排水量増大に対しても比例関係にあり対応する事が出来る。
【００１６】
（実施の形態１）
図１は、本発明の実施の形態１における電子機器用冷却庫の排水蒸発装置の構成図である。
【００１７】
近年、パーソナルコンピュータやハードディスク、プロジェクタ等の電子機器は高性能化が進み発熱量が急速に増大している。夏場等、雰囲気温度が上昇すると電子機器内部に搭載している空冷もしくは水冷冷却では問題無く動作出来る適温を維持出来なくなり、最悪の場合停止する。その為、冷却装置付きサーバーラック等、電子機器の雰囲気温度を下げて適温を維持する電子機器用冷却庫が存在する。
【００１８】
電子機器用冷却庫本体は壁、もしくは断熱材で覆われた庫内２を有しており、庫内２には冷却対象である発熱量の多い電子機器１（例えば発熱量の多いパーソナルコンピュータやハードディスク、プロジェクタ等）を設置している。
【００１９】
圧縮機３、凝縮器４、絞り装置５、蒸発器６を備えた冷却ユニット７を備えており、蒸発器６は庫内２に設置されており電子機器雰囲気温度を下げて適温で維持する事が出来る
。
【００２０】
蒸発器６からの排水をドレンパン９導く為のドレン８が形成されており、ドレンパン９には溜まった排水を蒸発させる為に蒸発シート１０を設置している。電子機器の発熱を廃熱として外部に放出する為のファン１３（電子機器内部に搭載している場合有り）と、その廃熱を庫外に導く為のダクトＡを形成している。
【００２１】
ドレンパン９と蒸発シート１０は庫外にあるダクトＢ内に設置されており、ダクトＡと本体面を介して接触している。
【００２２】
以上のように構成された電子機器用冷却庫の排水蒸発装置について、以下その動作を説明する。
【００２３】
発熱量の多い電子機器１（例えば発熱量の多いパーソナルコンピュータやハードディスク、プロジェクタ等）が設置された庫内２を適温に維持する為冷却ユニット７にて冷却を行う。冷却時、蒸発器６にて庫内２空気中水分が凝縮される。凝縮された水分は排水としてドレン８にてドレンパン９まで導かれ溜まる。ドレンパン９には不織布等で形成された蒸発シートを設置しており溜まった排水を吸水する。
【００２４】
電子機器１から廃熱をファン１３、ダクトＡ１１により庫外にあるダクトＢ１２まで導き、ダクトＢ１２内に設置された蒸発シート１０に廃熱を当てて排水を蒸発させる。
【００２５】
これにより廃熱を再利用する為省エネである。また加熱コイル１４の必要性も無い為コストダウン出来る。また圧縮機運転の有無に影響される事無く高い蒸発能力を維持させる事が出来る。
【産業上の利用可能性】
【００２６】
本発明にかかる電子機器用冷却庫の排水蒸発装置は発熱する電子機器の廃熱を利用する為、サーバーラック等の用途にも適用出来る。
【符号の説明】
【００２７】
１  電子機器
２  庫内
３  圧縮機
４  凝縮器
５  絞り装置
６  蒸発器
７  冷却ユニット
８  ドレン
９  ドレンパン
１０  蒸発シート
１１  ダクトＡ
１２  ダクトＢ
１３  ファン
１４  加熱コイル
【図１】
2011047608.tif 000003
【図２】
2011047608.tif 000004